(57)【要約】      （修正有）【課題】一種の集積回路を回路基板に電気に連接するランドグリッドアレイ電気コネクタを提供する。【解決手段】基板の変形を防止できるランドグリッドアレイ電気コネクタに関し、ランドグリッドアレイ電気コネクタは、回路基板に取り付けられ、少なくとも二つの定位柱が設けられる基板と、基板に固定され、定位柱に対応する定位孔が開設されるハウジングとを含む絶縁本体と、絶縁本体に収容される導電端子と、を備える。【選択図】図２
0003110579.tif 000002
【実用新案登録請求の範囲】
【請求項１】
集積回路を回路基板に電気的に接続するランドグリッドアレイ電気コネクタにおいて、該コネクタは、
回路基板に取り付けられ、少なくとも二つの定位柱が設けられる基板と、該基板を固定し、定位柱に対応する定位孔が開設されるハウジングとを含む絶縁本体と、
該絶縁本体に収容される導電端子と、
を備えることを特徴とするランドグリッドアレイ電気コネクタ。
【請求項２】
前記矩形の基板の一対の対向する角部には、大きさが異なる二つの定位柱が設けられることを特徴とする請求項１に記載のランドグリッドアレイ電気コネクタ。
【請求項３】
前記ハウジングには、二つの定位柱を収容するための第１定位孔が設けられることを特徴とする請求項２に記載のランドグリッドアレイ電気コネクタ。
【請求項４】
前記基板は、少なくとも一つのピンによってハウジングに固着されることを特徴とする請求項１に記載のランドグリッドアレイ電気コネクタ。
【請求項５】
前記基板の一対の対向する角部には、第１通孔が開設されることを特徴とする請求項４に記載のランドグリッドアレイ電気コネクタ。
【請求項６】
前記ハウジングの一対の対向する角部には、第１通孔に対応する第２通孔が開設されることを特徴とする請求項５に記載のランドグリッドアレイ電気コネクタ。
【請求項７】
前記ピンは、第１通孔によって、基板を貫通し、第２通孔に係合することを特徴とする請求項６に記載のランドグリッドアレイ電気コネクタ。
【考案の詳細な説明】
【技術分野】
【０００１】
本考案はランドグリッドアレイ電気コネクタに関し、特に集積回路を回路基板に電気的に接続するランドグリッドアレイ電気コネクタに関する。
【背景技術】
【０００２】
図１において、一種のランドグリッドアレイ電気コネクタは、集積回路を回路基板に電気的に接続するために使用されている。該ランドグリッドアレイ電気コネクタは、絶縁本体１２と、該絶縁本体１２に収容される導電端子１４と、を備える。該絶縁本体１２は、底壁１２０と、該底壁から延設する両対の側壁１２２と、それらの側壁１２２に囲まれるスペースと、底壁１２０を貫通し、端子１４を収容する端子孔１２００と、を有する。側壁１２２には、収容される集積回路をスペースに定位する凸塊１２２０が設けられる。
【０００３】
該ランドグリッドアレイ電気コネクタ１０は、絶縁本体１２が一体に製作されるために、底壁１２０より、側壁が厚い。そのため、製作の過程で生じる熱が均一に分配することができない。残った熱圧力によって、絶縁本体１２は、変形の可能性がある。その結果、端子１４を絶縁本体１２に取り付けることを現実しにくくなり、且つ回路基板の電気接続を妨げる。
【０００４】
従って、本考案は前記の欠点を克服するために一種の新たな電気コネクタを設計する。
【考案の開示】
【考案が解決しようとする課題】
【０００５】
本考案の目的は、このような従来の問題点を解決した電気コネクタを提供することである。すなわち、従来の技術と違って、絶縁本体の変形の防止の問題点を解消できる一つのランドグリッドアレイ電気コネクタが得られるようにする。
【課題を解決するための手段】
【０００６】
本考案は絶縁本体の変形の防止の問題点を解消できるランドグリッドアレイ電気コネクタに関し、ランドグリッドアレイ電気コネクタは、回路基板に取り付けられ、少なくとも二つの定位柱が設けられる基板と、該基板に固定され、定位柱に対応する定位孔が開設されるハウジングとを含む絶縁本体と、該絶縁本体に収容される導電端子と、を備える。
【考案の効果】
【０００７】
従来の技術に比べると、本発明は以下の長所がある。ハウジングと基板は、分けられて製作される。変形の可能性が減少し、端子の回路基板への電気接続が改善されるランドグリッドアレイ電気コネクタを提供することになる。
【考案を実施するための最良の形態】
【０００８】
図２に示すように、本考案のランドグリッドアレイ電気コネクタ２０は、集積回路を回路基板に電気接続する。該ランドグリッドアレイ電気コネクタ２０は、絶縁本体２１と、該絶縁本体２１に収容される複数の導電端子２２と、ピン２３と、を備える。
【０００９】
絶縁本体２１は、矩形の基板２１０と、ハウジング２１１と、該ハウジング２１１に囲まれるスペースと、を備える。基板２１０には、導電端子２２が収容される複数の端子孔２１００が設けられる。基板２１０の一対の対向する角部には、第１定位柱２１０１と、第２定位柱２１０２とが、上向きに突伸する。第１定位柱２１０１の大きさが、第２定位柱２１０２の大きさと異なる。他の一対の角部には、一対の第１通孔２１０３が開設される。
【００１０】
基板２１０の周囲を囲むハウジング２１１は、内側へ突出し、集積回路をスペースに定位する複数の突塊２１１１を有する。ハウジング２１１の一対の対向する角部には、第１、第２定位柱２１０１、２１０２に対応する第１、第２定位孔２１１２、２１１３を含む。他の対向する角部には、第１通孔２１０３、２１１４に対応する第２通孔２１１４が開設される。
【００１１】
図２〜図４において、基板２１０を上向きにハウジング２１１の底部に取り付ける時、第１定位柱２１０１と、第２定位柱２１０２とは、それぞれ第１定位孔２１１２と、第２定位孔２１１３とに収容される。二つのピン２３が、第１、第２通孔２１０３、２１１４に貫通することによって、基板２１０は、ハウジング２１１に固定される。その中で、第１定位柱２１０１の大きさが、第２定位柱２１０２の大きさと異なることによって、基板２１０をハウジング２１１に正確に組み合わせる方向を確保できる。基板２１０とハウジング２１１は、異なる要求によって、異なる合成樹脂で製作されることができる。そのため、製作費用が低くなり、構造が簡単になり、変形することが防止できる。
【００１２】
総じて、本考案の多数の特徴及び長所など、その構造及び機能が共に前述の記載により掲げられている。また前記の説明は、本考案に基づきなしうる細部の修正或は変更など、いずれも本考案の請求範囲に属するものとする。
【産業上の利用可能性】
【００１３】
本考案は電気コネクタに関し、特に絶縁本体の変形の防止の問題点を解消できるランドグリッドアレイ電気コネクタに関する。
【図面の簡単な説明】
【００１４】
【図１】従来技術のランドグリッドアレイ電気コネクタの立体組合図である。
【図２】本考案のランドグリッドアレイ電気コネクタの立体分解図である。
【図３】本考案の図２におけるランドグリッドアレイ電気コネクタの立体組合図である。
【図４】本考案の図３におけるランドグリッドアレイ電気コネクタの他の立体組合図である。
【符号の説明】
【００１５】
２０  電気コネクタ
２１  絶縁本体
２２  導電端子
２３  ピン
２１０  基板
２１１  ハウジング
２１００  端子孔
２１０１  第１定位柱
２１０２  第２定位柱
２１０３  第１通孔
２１１１  突塊
２１１２  第１定位孔
２１１３  第２定位孔
２１１４  第２通孔
【図１】
0003110579.tif 000003
【図２】
0003110579.tif 000004
【図３】
0003110579.tif 000005
【図４】
0003110579.tif 000006